(57)【要約】      （修正有）【課題】適切に基地局との通信を確立することができる通信装置を提供する。【解決手段】通信装置は、受信部と、処理部と、送信部と、を有する。受信部は、基地局から電波を受信し、送信部は、受信部により基地局から受信した電波の強度が閾値以上である場合、基地局との通信を確立する要求を基地局に送信し、強度が閾値以上でない場合、基地局との通信を確立する要求を基地局に送信しない。【選択図】図５
2020113858.tif 000002
【特許請求の範囲】
【請求項１】
基地局から電波を受信する受信部と、
前記受信部により前記基地局から受信した電波の強度が閾値以上である場合、前記基地局との通信を確立する要求を前記基地局に送信し、前記強度が前記閾値以上でない場合、前記基地局との通信を確立する要求を前記基地局に送信しない送信部と、を有する通信装置。
【発明の詳細な説明】
【技術分野】
【０００１】
本発明は、通信装置に関する。
【背景技術】
【０００２】
従来、端末（ユーザ装置、通信装置）が基地局からの電波を受信すると、当該端末が当該基地局との通信を確立するモバイル通信技術が知られている。このモバイル通信の通信規格において、例えば、ＬＴＥ（Long Term Evolution）の規格では、端末と基地局との通信の確立に５回連続して失敗すると、端末は、Ｔ３４０２と称されるタイマーを作動させる。そして、端末は、当該タイマーを作動させてから１２分が経過するまでの間、基地局と通信を確立しないようにすることが規定されている（例えば、特許文献１を参照）。
【先行技術文献】
【特許文献】
【０００３】
【特許文献１】特表２０１７−５２９７８３号公報
【発明の概要】
【発明が解決しようとする課題】
【０００４】
しかしながら、従来技術では、例えば、端末が、基地局との通信が不安定な位置で通信の確立に所定回数（例えば、５回）連続して失敗すると、安定して通信できる位置に移動した場合でも、当該タイマーを作動させてから１２分が経過するまでの間、基地局を介した通信ができないという問題がある。
【０００５】
そこで、適切に基地局との通信を確立できるようにすることを目的とする。
【課題を解決するための手段】
【０００６】
通信装置は、基地局から電波を受信する受信部と、前記受信部により前記基地局から受信した電波の強度が閾値以上である場合、前記基地局との通信を確立する要求を前記基地局に送信し、前記強度が前記閾値以上でない場合、前記基地局との通信を確立する要求を前記基地局に送信しない送信部と、を有する。
【発明の効果】
【０００７】
適切に基地局との通信を確立できる。
【図面の簡単な説明】
【０００８】
【図１】実施形態に係る通信システムの構成例を示す図である。
【図２】実施形態に係る通信装置のハードウェア構成例を示す図である。
【図３】実施形態に係る通信装置の機能ブロック図の一例を示す図である。
【図４】実施形態に係る通信システムの処理の一例を示すシーケンス図である。
【図５】実施形態に係る基地局との通信を行わないタイマーの起動を低減する処理の一例を示すフローチャートである。
【発明を実施するための形態】
【０００９】
以下、図面を参照して本発明の実施形態を説明する。
【００１０】
＜システム構成＞
図１は、実施形態に係る通信システム１の構成例を示す図である。図１において、通信システム１は、通信装置１０、及び基地局２０Ａ、基地局２０Ｂ、基地局２０Ｃ（以下で、それぞれを区別する必要がない場合は、単に「基地局２０」と称する。）を有する。なお、基地局２０の数は、図１の例に限定されない。なお、図１の例では、通信装置１０は、車両３０に搭載（車載）されている。
【００１１】
通信装置１０は、例えば、ＬＴＥ、５Ｇ、３Ｇ等の通信規格に準拠した処理により、基地局２０との通信を確立し、基地局２０を介して、外部の装置との通信を行う。通信装置１０は、例えば、車載用の通信装置、スマートフォン、携帯電話、タブレットＰＣ（Personal Computer）、及びノートＰＣ等の通信装置（コンピュータ）である。
【００１２】
＜ハードウェア構成＞
図２は、実施形態に係る通信装置１０のハードウェア構成例を示す図である。図２の通信装置１０は、それぞれバスＢで相互に接続されているドライブ装置１００、補助記憶装置１０２、メモリ装置１０３、ＣＰＵ１０４、インタフェース装置１０５等を有する。
【００１３】
通信装置１０での処理を実現する情報処理プログラムは、例えば、記録媒体１０１によって提供される。情報処理プログラムを記録した記録媒体１０１がドライブ装置１００にセットされると、情報処理プログラムが記録媒体１０１からドライブ装置１００を介して補助記憶装置１０２にインストールされる。但し、情報処理プログラムのインストールは必ずしも記録媒体１０１より行う必要はなく、ネットワークを介して他のコンピュータよりダウンロードするようにしてもよい。補助記憶装置１０２は、インストールされた情報処理プログラムを格納すると共に、必要なファイルやデータ等を格納する。
【００１４】
メモリ装置１０３は、例えば、ＲＡＭ（Random access memory）であり、プログラムの起動指示があった場合に、補助記憶装置１０２からプログラムを読み出して格納する。ＣＰＵ１０４は、メモリ装置１０３に格納されたプログラムに従って通信装置１０に係る機能を実現する。インタフェース装置１０５は、例えば、他の装置との通信を接続するためのインタフェースである無線通信モジュールと、ユーザインターフェースを実現するためのタッチパネル等を含む。
【００１５】
なお、記録媒体１０１の一例としては、ＣＤ−ＲＯＭ、ＤＶＤディスク、又はＵＳＢメモリ等の可搬型の記録媒体が挙げられる。また、補助記憶装置１０２の一例としては、ＨＤＤ（Hard Disk Drive）又はフラッシュメモリ等が挙げられる。記録媒体１０１及び補助記憶装置１０２のいずれについても、コンピュータ読み取り可能な記録媒体に相当する。
【００１６】
＜機能構成＞
次に、図３を参照し、実施形態に係る通信装置１０の機能構成について説明する。図３は、実施形態に係る通信装置１０の機能ブロック図の一例を示す図である。
【００１７】
通信装置１０は、受信部１１、処理部１２、及び送信部１３を有する。受信部１１、処理部１２、及び送信部１３は、通信装置１０にインストールされた１以上のプログラムが、通信装置１０のＣＰＵ１０４に実行させる処理により実現されてもよい。
【００１８】
受信部１１は、基地局２０からの電波の信号を受信する。処理部１２は、受信部１１により受信された基地局２０からの電波の信号に基づいて、基地局２０との通信処理を行う。送信部１３は、処理部１２の指示に従い、基地局２０に電波を送信する。
【００１９】
＜処理＞
次に、図４を参照して、実施形態に係る通信システム１の処理について説明する。図４は、実施形態に係る通信システム１の処理の一例を示すシーケンス図である。
【００２０】
ステップＳ１において、基地局２０Ａは、所定の電波を送信する。続いて、通信装置１０の受信部１１は、基地局２０Ａから送信された所定の電波を受信する（ステップＳ２）。
【００２１】
続いて、通信装置１０の処理部１２は、基地局２０Ａとの通信を行わないタイマーの起動を低減する処理を行う（ステップＳ３）。続いて、通信装置１０の処理部１２は、送信部１３により、通信を確立する要求を基地局２０Ａに送信させる（ステップＳ４）。ここで、通信装置１０の送信部１３は、例えば、ＬＴＥ等で規定されたアタッチ要求、または位置登録要求等を基地局２０Ａに送信してもよい。
【００２２】
続いて、基地局２０Ａは、通信を許可する通知を通信装置１０に送信する（ステップＳ５）。これにより、通信装置１０と基地局２０Ａとの間の通信が確立し、通信装置１０は、基地局２０を介して他の装置との通信を行うことができる。
【００２３】
≪タイマー起動低減処理≫
次に、図５を参照して、図４のステップＳ３、ステップＳ４の基地局２０Ａとの通信を行わないタイマーの起動を低減して基地局２０Ａとの通信を接続する処理について説明する。図５は、実施形態に係る基地局２０Ａとの通信を行わないタイマーの起動を低減する処理の一例を示すフローチャートである。なお、通信装置１０は、以下の処理を、例えば、所定の周期（例えば、５秒毎）で実行するようにしてもよい。
【００２４】
ステップＳ１０１において、処理部１２は、基地局２０Ａから受信した電波の強度（受信信号強度、ＲＳＳＩ（Received Signal Strength Indicator））が、第１閾値以上であるか否かを判定する。
【００２５】
第１閾値以上である場合（ステップＳ１０１でＹＥＳ）、処理部１２は、通信を確立する要求を送信部１３により基地局２０Ａに送信し（ステップＳ１０２）、処理を終了する。なお、第１閾値は、予め設定された値でもよい。これにより、例えば、通信装置１０のインタフェース装置１０５のアンテナ等の受信感度が高いため、基地局２０Ａから受信した電波の信号から基地局２０のＩＤ等の情報を正しく抽出できる場合でも、一般的な携帯電話機等が情報を正しく抽出できる強度以上でない場合は、通信を確立する要求を基地局２０Ａに送信しないようにする。これにより、基地局２０Ａとの通信の確立に所定回数連続して失敗し、一定時間基地局Ａと接続できなくなることを低減できる。
【００２６】
なお、処理部１２は、通信装置１０の移動速度が大きくなるに従って、第１閾値の値を大きく決定してもよい。これにより、例えば、通信装置１０を搭載した車両３０が高速で走行しているため、通信装置１０から送信された電波を基地局２０Ａが認識できない可能性が高い場合は、通信を確立する要求を基地局２０Ａに送信しないようにすることができる。なお、処理部１２は、例えば、（Electronic Control Unit）からＢＬＥ（Bluetooth（登録商標） Low Energy）等の無線通信により車両３０の現在の速度を車両３０のＥＣＵから取得し、取得した速度を通信装置１０の移動速度として用いてもよい。また、処理部１２は、例えば、ＧＰＳ（Global Positioning System）等を用いて通信装置１０の位置情報を各時点で取得し、取得した各時点の位置情報に基づいて通信装置１０の移動速度を算出してもよい。
【００２７】
一方、第１閾値以上でない場合（ステップＳ１０１でＮＯ）、処理部１２は、基地局２０Ａとの通信の確立に連続して失敗した回数が所定の閾値（例えば、３回）以上であるか否かを判定する（ステップＳ１０３）。連続して失敗した回数が所定の閾値以上でない場合（ステップＳ１０３でＮＯ）、ステップＳ１０２の処理に進む。なお、ここで、処理部１２は、ステップＳ１０２の処理に進む代わりに、処理を終了する、またはステップＳ１０４の処理に進むようにしてもよい。これにより、基地局２０Ａから受信した電波の強度が第１閾値以上でない場合は、基地局２０Ａとの接続を試みないようにすることができる。
【００２８】
一方、連続して失敗した回数が所定の閾値以上である場合（ステップＳ１０３でＹＥＳ）、処理部１２は、電波を受信している基地局２０Ａ、基地局２０Ｂ、及び基地局２０Ｃのうち、基地局２０Ａから受信した電波よりも強度が弱い電波を受信している基地局２０Ｂに対して、通信を確立する要求を送信部１３により送信し（ステップＳ１０４）、処理を終了する。これにより、基地局２０Ａとの通信の確立に連続して失敗した回数が所定回数（例えば、５回）に達したことによる、ＬＴＥで規定されたＴ３４０２タイマーが起動する確率を低減させることができる。
【００２９】
＜実施形態のまとめ＞
上述した実施形態によれば、基地局２０Ａから受信した電波の強度が閾値以上の場合、基地局２０Ａに接続要求を送信し、基地局２０Ａから受信した電波の強度が閾値以上でない場合、基地局２０Ａに接続要求を送信しない。
【００３０】
これにより、例えば、通信規格の規定による、基地局２０Ａとの通信の確立に所定回数連続して失敗したことにより、所定期間、基地局２０Ａとの通信が行えなくなる事態を低減することができる。
【００３１】
以上、本発明の実施例について詳述したが、本発明は斯かる特定の実施形態に限定されるものではなく、特許請求の範囲に記載された本発明の要旨の範囲内において、種々の変形・変更が可能である。
【符号の説明】
【００３２】
１  通信システム
１０  通信装置
１１  受信部
１２  処理部
１３  送信部
２０  基地局
【図１】
2020113858.tif 000003
【図２】
2020113858.tif 000004
【図３】
2020113858.tif 000005
【図４】
2020113858.tif 000006
【図５】
2020113858.tif 000007